(57)【要約】      （修正有）【課題】装飾が立体感を有するとともに、装飾の変更やバリエーションの増加が容易な時計を提供する。【解決手段】時刻を示す針１５２と、時刻を示す針１５２の後側において互いに重ねて設けられる第一の透明板１１ａ，１１ｂおよび第二の透明板１２ａ，１２ｂと、第一の透明板１１ａ，１１ｂおよび第二の透明板１２ａ，１２ｂとの間に挟持されるレース地１３とを備える。さらに、レース地１３には、針１５２の回転軸を中心とする円周方向に沿って複数の模様を配列する。【選択図】図５
0003171528.tif 000002
【実用新案登録請求の範囲】
【請求項１】
時刻を示す針と、
前記針の後側において重ねて合せて設けられる第一の透明板および第二の透明板と、
前記第一の透明板および前記第二の透明板との間に挟持されるレース地と、
を有することを特徴とする時計。
【請求項２】
前記レース地には、前記針の回転軸を中心とする円周方向に沿って複数の模様が配列されることを特徴とする請求項１に記載の時計。
【請求項３】
前記第一の透明板の前面側には装飾部材が設けられることを特徴とする請求項１または２に記載の時計。
【請求項４】
前記針を駆動するムーブメントの本体部は、前記第一の透明板および前記第二の透明板および前記レース地の後側に設けられることを特徴とする請求項１から３のいずれか１項に記載の時計。
【請求項５】
前記第一の透明板の前面側に所定の距離をおいて離れて設けられる第三の透明板と、
前記第一の透明板と前記第三の透明板とを所定の距離をおいて離れる状態に維持するスペーサと、
前記第一の透明板および前記第二の透明板および前記第三の透明板を保持するフレームと、
を更に有することを特徴とする請求項１から４のいずれか１項に記載の時計。
【考案の詳細な説明】
【技術分野】
【０００１】
本考案は、時計に関するものである。特に、時刻を示す針と、針の後側に設けられる文字盤とを有する時計に関するものである。
【背景技術】
【０００２】
一般的なアナログ式の時計は、文字盤（ダイヤルとも称する）とムーブメントとを有する。そして、ムーブメントの針が文字盤の前面側に設けられ、ムーブメントの本体部が文字盤の後側に設けられる。文字盤には、インデックス（時刻目盛となる文字や記号）が設けられる。また、文字盤には、たとえば特許文献１に記載のように、種々の装飾が施されることがある。
【先行技術文献】
【特許文献】
【０００３】
【特許文献１】特開２００５−３５１７２２号公報
【考案の概要】
【考案が解決しようとする課題】
【０００４】
文字盤の装飾には、たとえば文字や記号や模様などを印刷する方法が用いられている。しかしながら、印刷によって施された装飾は、立体感に乏しいという問題点を有する。また、印刷によって装飾を施す構成では、文字盤と文字盤に施される装飾とが分離不可能であるため、装飾のバリエーションを増やすためには文字盤の種類を増やす必要がある。このため、時計の部品の管理などが煩雑である。また、多品種少量生産への対応が困難である。上記実情に鑑み、本考案が解決しようとする課題は、立体感を有する装飾が施される時計を提供することである。また、本考案が解決しようとする課題は、文字盤の装飾の変更やバリエーションの増加が容易で、多品種少量生産が容易な時計を提供することである。
【課題を解決するための手段】
【０００５】
前記課題を解決するため、本考案は、時刻を示す針と、前記針の後側において重ねて合せて設けられる第一の透明板および第二の透明板と、前記第一の透明板および前記第二の透明板との間に挟持されるレース地とを有することを特徴とする。
【０００６】
前記レース地には、前記針の回転軸を中心とする円周方向に沿って複数の模様が配列されることを特徴とする。
【０００７】
前記第一の透明板の前面側には装飾部材が設けられることを特徴とする。
【０００８】
前記針を駆動するムーブメントの本体部は、前記第一の透明板および前記第二の透明板および前記レース地の後側に設けられることを特徴とする。
【０００９】
前記第一の透明板の前面側に所定の距離をおいて離れて設けられる第三の透明板と、前記第一の透明板と前記第三の透明板とを所定の距離をおいて離れる状態に維持するスペーサと、前記第一の透明板および前記第二の透明板および前記第三の透明板を保持するフレームとを更に有することを特徴とする。
【考案の効果】
【００１０】
本考案によれば、レース地が文字盤を装飾するとともに、時間目盛として機能するインデックスとして機能する。このため、文字盤に印刷を施して装飾する構成に比較して、装飾に立体感を持たせることができる。したがって、時計の美観の向上を図ることができる。また、本考案によれば、レース地を交換することによって、文字盤の装飾を容易に変更できる。すなわち、装飾を変更する場合であっても、文字盤として機能する第一の透明板や第二の透明板は、構成を変更することなく用いることができる。したがって、時計の装飾の変更や、バリエーションの追加が容易となる。また、レース地を変更する場合であっても、第一の透明板や第二の透明板の構成を変更する必要がないため、部品の種類の削減を図ることができ、部品の管理の手間の削減を図ることができる。
【図面の簡単な説明】
【００１１】
【図１】図１は、本考案の第一実施形態にかかる時計の構成を模式的に示す正面図である。
【図２】図２は、本考案の第一実施形態にかかる時計の構成を模式的に示す分解斜視図である。
【図３】図３は、本考案の第二実施形態にかかる時計の構成を模式的に示す正面図である。
【図４】図４は、本考案の第二実施形態にかかる時計の構成を模式的に示す分解斜視図である。
【図５】図５は、本考案の第一および第二実施形態にかかる時計の構成を模式的に示す断面図である。
【図６】図６は、本考案の第一および第二の実施形態にかかる時計に適用されるレース地の構成を示す正面図である。
【考案を実施するための形態】
【００１２】
以下に、本考案の実施形態について、図面を参照して詳細に説明する。図１は、本考案の第一実施形態にかかる時計１ａの構成を模式的に示す正面図である。図２は、本考案の第一実施形態にかかる時計１ａの構成を模式的に示す分解斜視図である。図３は、本考案の第二実施形態にかかる時計１ｂの構成を模式的に示す正面図である。図４は、本考案の第二実施形態にかかる時計１ｂの構成を模式的に示す分解斜視図である。図５は、本考案の第一および第二実施形態にかかる時計１ａ，１ｂの構成を模式的に示す断面図である。図６は、本考案の第一および第二の実施形態にかかる時計１ａ，１ｂに適用されるレース地１３の構成を示す正面図である。なお、説明の便宜上、文字盤が形成される側を前側と称し、その反対側を後側と称する。また、第一実施形態と第二実施形態に共通する箇所については、同じ符号を付して示し、まとめて説明する。
【００１３】
図１〜５に示すように、本考案の第一および第二実施形態にかかる時計１ａ，１ｂは、第一の透明板１１ａ，１１ｂと、第二の透明板１２ａ，１２ｂと、レース地１３と、ムーブメント１５と、フレーム１６ａ，１６ｂと、第三の透明板１４ａ，１４ｂと、スペーサ１８ａ，１８ｂと、装飾部材１９と、固定具１７とを有する。
【００１４】
第一〜第三の透明板１１ａ，１１ｂ，１２ａ，１２ｂ，１４ａ，１４ｂは、ガラスやアクリル系の樹脂などといった、透明な材料により形成される平板状の部材である。第一の透明板１１ａ，１１ｂと第二の透明板１２ａ，１２ｂの中心には、時刻を示す針１５２の回転軸を挿通可能な貫通孔が形成される。図１と図２に示すように、本考案の第一実施形態にかかる時計１ａにおいては、第一〜第三の透明板１１ａ，１２ａ，１４ａは、略四辺形に形成される。図３と図４に示すように、本考案の第二実施形態にかかる時計１ｂにおいては、第一〜第三の透明板１１ｂ，１２ｂ，１４ｂは、略円形に形成される。そして、第一〜第三の透明板１１ａ，１１ｂ，１２ａ，１２ｂ，１４ａ，１４ｂの少なくとも一つには、所定の彫刻が施される。この彫刻は、時計の出所（たとえば、メーカー名、販売店名）や時計の性質（たとえば、記念品、贈答品）などを示す文字や記号などが適用される。なお、この彫刻は、先端工具などを用いて施される構成であってもよく、レーザーによって施される構成であってもよい。なお、前側から見える位置に彫刻を施す場合には、第一の透明板１１ａ，１１ｂと第三の透明板１４ａ，１４ｂの少なくとも一方に彫刻を施し、前側から見えない位置に彫刻を施す場合には、第二の透明板１２ａ，１２ｂに彫刻を施すことになる。
【００１５】
ムーブメント１５は、いわゆるアナログ式であり、時刻を示す針１５２（時針、分針、秒針）と、時刻を示す針１５２を駆動する駆動機構が設けられる本体部１５１とを有する。なお、ムーブメント１５には、従来公知の構成が適用できる。したがって、詳細な説明は省略する。
【００１６】
フレーム１６ａ，１６ｂは、前後方向に貫通する貫通孔が形成される環状または筒状の部材である。図１と図２に示すように、本考案の第一実施形態にかかる時計１ａのフレーム１６ａは、前側方は後側からの平面視で略四辺形に形成される。一方、図３と図４に示すように、本考案の第二実施形態にかかる時計１ｂのフレーム１６ｂは、前側または後側からの平面視において略円形に形成される。フレーム１６ａ，１６ｂの貫通孔の内周面の寸法（すなわち内径）は、前部側が小さく後部側が大きい。そして、前部側の寸法が小さい部分（以下、「小寸法部」と称する）と、後部側の寸法が大きい部分（以下、「大寸法部」と称する）との境界には、後側を向く段差面１６１が形成される。小寸法部は、第一〜第三の透明板１１ａ，１１ｂ，１２ａ，１２ｂ，１４ａ，１４ｂが通過できないように、第一〜第三の透明板１１ａ，１１ｂ，１２ａ，１２ｂ，１４ａ，１４ｂの外形寸法よりも小さい寸法に形成される。一方、大寸法部は、第一〜第三の透明板１１ａ，１１ｂ，１２ａ，１２ｂ，１４ａ，１４ｂを嵌め込むことができるように、第一〜第三の透明板１１ａ，１１ｂ，１２ａ，１２ｂ，１４ａ，１４ｂの外形寸法と略同じかまたはそれよりも大きい寸法に形成される。
【００１７】
スペーサ１８ａ，１８ｂは、第一の透明板１１ａ，１１ｂと第三の透明板１４ａ，１４ｂとを所定の距離をおいて離れる状態に維持する部材であり、前後方向に貫通する貫通孔が形成される環状または筒状の部材である。図１と図２に示すように、本考案の第一実施形態にかかる時計１ａのスペーサ１８ａは、前側または後側からの平面視で略四辺形に形成される。一方、図３と図４に示すように、本考案の第二実施形態にかかる時計１ｂのスペーサ１８ｂは、前側または後側からの平面視において略円形に形成される。スペーサ１８ａ，１８ｂの外周面は、フレーム１６ａ，１６ｂの貫通孔の内周面とほぼ同じ形状を有する。そして、スペーサ１８ａ，１８ｂは、フレーム１６ａ，１６ｂの貫通孔の大寸法部に嵌め込むことができるが、小寸法部を通過することはできない寸法に形成される。なお、スペーサ１８ａ，１８ｂの貫通孔の内周面の寸法および形状は特に限定されないが、たとえば、フレーム１６ａ，１６ｂの小寸法部の内周面の寸法および形状と同じであることが好ましい。このような構成であると、スペーサ１８ａ，１８をフレーム１６ａ，１６ｂにはめ込んだ場合に、フレーム１６ａ，１６ｂの小寸法部の内周面と、スペーサ１８ａ，１８ｂの内周面とが一連となる。
【００１８】
装飾部材１９は、第一の透明板１１ａ，１１ｂの前面側に取り付けられる部材である。装飾部材１９には、たとえば、宝石類などを模した樹脂成形品やガラス成形品が適用できる。そして、装飾部材１９は、文字盤を装飾するとともに、時間目盛として機能するインデックスとなる。なお、装飾部材１９の具体的な材質や寸法や形状は特に限定されるものではない。
【００１９】
固定具１７は、第一〜第三の透明板１１ａ，１１ｂ，１２ａ，１２ｂ，１４ａ，１４ｂとスペーサ１８ａ，１８ｂをフレーム１６ａ，１６ｂに固定して保持するための部材である。なお、固定具１７は、フレーム１６ａ，１６ｂの内周面に固定できる構成であればよく、具体的な構成は限定されない。
【００２０】
レース地１３は、本考案の第一および第二実施形態にかかる時計１ａ，１ｂを装飾するほか、文字盤において時間目盛として機能するインデックスとなる。たとえば、図６に示すように、レース地１３は、所定の複数の模様が、時刻を示す針１５２の回転軸を中心とする円周方向に沿って等間隔に配列される構成が適用される。図６においては、１２個の花柄模様Ｆが円周方向に沿って等間隔に配列される構成を示す。このような構成であると、１２個の模様Ｆのそれぞれが、時間目盛として機能する。なお、図６は、レース地１３の構成の一例であり、本考案の第一および第二実施形態にかかる時計１ａ，１ｂに適用されるレース地１３の具体的な構成（たとえば模様）は、特に限定されるものではない。
【００２１】
次に、本考案の第一および第二実施形態にかかる時計１ａ，１ｂの組み付け構成について説明する。
【００２２】
図１〜図５に示すように、第一の透明板１１ａ，１１ｂと第二の透明板１２ａ，１２ｂとの間に、レース地１３が挟まれる。そして、第一の透明板１１ａ，１１ｂの前側に時刻を示す針１５２が配設され、第二の透明板１２ａ，１２ｂの後側にムーブメント１５の本体部１５１が配設される。時刻を示す針１５２の回転軸は、第一の透明板１１ａ，１１ｂと第二の透明板１２ａ，１２ｂに形成される貫通孔に挿通されてムーブメント１５の本体部１５１に結合する。また、ムーブメント１５の本体部１５１には、第一の透明板１１ａ，１１ｂの前側からナット２１が締結される。これによって、第一の透明板１１ａ，１１ｂとレース地１３と第二の透明板１２ａ，１２ｂとムーブメント１５の本体部１５１とが、一体に結合する。特に、レース地１３が、第一の透明板１１ａ，１１ｂと第二の透明板１２ａ，１２ｂとによって前後方向から挟持され、平面の状態に維持される。
【００２３】
また、第一の透明板１１ａ，１１ｂの前面には、装飾部材１９が接着される。たとえば、文字盤においてインデックスとして機能する位置に接着される。ここで、レース地１３の模様と関連する位置に接着される構成であることが好ましい。たとえば、図６に示すように、レース地１３に１２個の花柄模様が形成される場合には、１２個の装飾部材１９のそれぞれが、前面視において各花柄模様の中心に位置するように接着される構成が適用できる。
【００２４】
フレーム１６ａ，１６ｂの貫通孔に後側から第三の透明板１４ａ，１４ｂが嵌め込まれ、その後側にスペーサ１８ａ，１８ｂが嵌め込まれる。そうすると、第三の透明板１４ａ，１４ｂの前側の面の外周縁がフレーム１６ａ，１６ｂの段差面１６１に当接し、後側の面の外周縁がスペーサ１８ａ，１８ｂの前端面に当接する。そして、それらの後側に、第一の透明板１１ａ，１１ｂとレース地１３と第二の透明板１２ａ，１２ｂとムーブメント１５の組立体が嵌め込まれる。そうすると、第一の透明板１１ａ，１１ｂの前側の面の外周縁が、スペーサ１８ａ，１８ｂの後端面に当接する。このため、第一の透明板１１ａ，１１ｂと第三の透明板１４ａ，１４ｂとは、スペーサ１８ａ，１８ｂによって前後方向に所定の距離をおいて離間する状態に維持される。そして、第二の透明板１２ａ，１２ｂの後側であってフレーム１６ａ，１６ｂの内周面に、固定具１７がネジ（図略）などによって固定される。固定具１７がフレーム１６ａ，１６ｂに固定されると、第一の透明板１１ａ，１１ｂとレース地１３と第二の透明板１２ａ，１２ｂとムーブメント１５の組立体と、第三の透明板１４ａ，１４ｂと、スペーサ１８ａ，１８ｂとは、フレーム１６ａ，１６ｂに固定されて保持される。
【００２５】
このように、本考案の第一および第二実施形態にかかる時計１ａ，１ｂにおいては、時刻を示す針１５２の後側に、第一の透明板１１ａ，１１ｂおよび第二の透明板１２ａ，１２ｂが重ね合わされて設けられる。そして、レース地１３が、第一の透明板１１ａ，１１ｂおよび第二の透明板１２ａ，１２ｂの間に挟持される。ここで、レース地１３は、１２個の模様Ｆ（図６参照）が時刻を示す針１５２の回転軸を中心とする円周方向に沿って並ぶように設けられる。このような構成によれば、第一の透明板１１ａ，１１ｂおよび第二の透明板１２ａ，１２ｂが文字盤となる。そして、レース地１３が文字盤を装飾するとともに、レース地１３の１２個の模様が時間目盛として機能するインデックスとなる。また、第三の透明板１４ａ，１４ｂは風防となる。
【００２６】
本考案の第一および第二実施形態にかかる時計１ａ，１ｂによれば、レース地１３が文字盤を装飾するとともに、時間目盛として機能するインデックスとして機能する。このため、文字盤に印刷を施して装飾する構成に比較して、装飾に立体感を持たせることができる。したがって、美観の向上を図ることができる。また、本考案によれば、レース地１３を交換することによって、文字盤の装飾を容易に変更できる。すなわち、装飾を変更する場合であっても、文字盤として機能する第一の透明板１１ａ，１１ｂや第二の透明板は、構成を変更することなく用いることができる。したがって、時計の装飾の変更や、バリエーションの追加が容易となる。また、レース地１３を変更する場合であっても、第一の透明板１１ａ，１１ｂや第二の透明板１２ａ，１２ｂの構成を変更する必要がないため、部品の種類の削減を図ることができ、部品の管理の手間の削減を図ることができる。
【００２７】
以上、本考案の実施形態および実施例について、図面を参照して詳細に説明したが、本考案は前記実施形態および実施例に限定されるものではない。本考案は、その趣旨を逸脱しない範囲において、種々の改変が可能である。
【００２８】
例えば、第一実施形態においては、第一〜第三の透明板１１ａ，１２ａ，１４ａの外形が略四辺形である構成を示し、第二実施形態においては、第一〜第三の透明板１１ｂ，１２ｂ，１４ｂの外形が円形である構成を示したが、第一〜第三の透明板１１ａ，１１ｂ，１２ａ，１２ｂ，１４ａ，１４ｂの形状は四辺形または円形に限定されない。たとえば、四辺形以外の多角形であってもよく、楕円形であってもよい。また、第一および第二実施形態にかかる時計１ａ，１ｂは、第三の透明板１４ａ，１４ｂとフレーム１６ａ，１６ｂとスペーサ１８ａ，１８ｂを有さずに、時刻を示す針１５２および文字盤としての第一の透明板１１ａ，１１ｂおよび第二の透明板１２ａ，１２ｂが露出している構成であってもよい。換言すると、第一の透明板１１ａ，１１ｂとレース地１３と第二の透明板１２ａ，１２ｂとムーブメント１５の組立体が、完成品としての時計となる構成であってもよい。また、本考案の時計の種類は限定されるものではなく、壁掛け時計であってもよく、置時計であってもよい。
【００２９】
また、第一〜第三の透明板１１ａ，１１ｂ，１２ａ，１２ｂ，１４ａ，１４ｂは、前面側からレース地１３を透視可能であればよく、無色透明でなくてもよい。たとえば、着色されたガラスや樹脂が適用される構成であってもよい。
【産業上の利用可能性】
【００３０】
本考案は、時計において有効な技術である。
【符号の説明】
【００３１】
１ａ：本考案の第一実施形態にかかる時計
１ｂ：本考案の第二実施形態にかかる時計
１１ａ，１１ｂ：第一の透明板
１２ａ，１２ｂ：第二の透明板
１３：レース地
１４ａ，１４ｂ：第三の透明板
１５：ムーブメント
１５１：ムーブメントの本体部
１５２：針
１６ａ，１６ｂ：フレーム
１６１：段差面
１７：固定具
１８ａ，１８ｂ：スペーサ
１９：装飾部材
２１：ナット
Ｆ：模様
【図１】
0003171528.tif 000003
【図２】
0003171528.tif 000004
【図３】
0003171528.tif 000005
【図４】
0003171528.tif 000006
【図５】
0003171528.tif 000007
【図６】
0003171528.tif 000008